(57)【要約】  拭き取り製品のラインナップを開示する。とりわけ、対象とされた感覚要素を有するベビーウェットタオルのラインナップを開示する。ラインナップは、対象とされた嗅覚的な要素、対象とされた視覚的な要素、対象とされた触覚的な要素、及び対象とされた聴覚的な要素を有する。感覚要素は、互いに強化し合うか、相乗効果をもたらすように、組み合わせて施される。感覚要素は、所望の効果、使用状況、発育段階、又はこれらいずれかの組み合わせに基づいて適応される。
2008531118.tif 000002
【特許請求の範囲】
【請求項１】
拭き取り製品のラインナップであって、
基材と、前記基材に含浸された水性組成物と、収容するパッケージと、を有する第１の拭き取り製品であって、第１の適応された嗅覚的な要素と、第１の適応された視覚的な要素と、をさらに有する第１の拭き取り製品と、
基材と、前記基材に含浸された水性組成物と、収容するパッケージと、を有する第２の拭き取り製品であって、第２の適応された嗅覚的な要素と、第２の適応された視覚的な要素と、をさらに有する第２の拭き取り製品と、を含み、
前記第１の適応された嗅覚的な要素は前記第２の適応された嗅覚的な要素とは異なり、前記第１の適応された視覚的な要素は前記第２の適応された視覚的な要素とは異なり、
前記第１の拭き取り製品は少なくとも前記第１の適応された嗅覚的な要素及び前記第１の適応された視覚的な要素に基づいて第１の発育段階に対応するように適合されており、
前記第２の拭き取り製品は少なくとも前記第２の適応された嗅覚的な要素及び前記第２の適応された視覚的な要素に基づいて第２の発育段階に対応するように適合されており、
前記第１の発育段階及び前記第２の発育段階はそれぞれ互いに異なっており、
前記第１の拭き取り製品及び前記第２の拭き取り製品のそれぞれに、前記製品の適応対象である発育段階を示すしるしが設けられている、拭き取り製品のラインナップ。
【請求項２】
前記第１の発育段階が、依存段階、探検段階、及び学習段階から成る群から選択され、前記第２の発育段階が、依存段階、探検段階、及び学習段階から成る群から選択される、請求項１に記載のラインナップ。
【請求項３】
前記第１の適応された嗅覚的な要素は、ラベンダー、カモミール、バラ、オレンジ、ゲッカコウ、ビャクダン、シーダー材、ベルガモット、ベンゾイン樹脂、及びバニラから成る群から選択されたにおいを含む、１〜２のいずれか一項に記載のラインナップ。
【請求項４】
前記第２の適応された嗅覚的な要素は、緑茶、リンゴ、ヤクヨウニンジン、及びメントールから成る群から選択されたにおいを含む、１〜３のいずれか一項に記載のラインナップ。
【請求項５】
前記第１の拭き取り製品に第１の適応された触覚的な要素がさらに備わっており、前記第２の拭き取り製品に第２の適応された触覚的な要素がさらに備わっており、
前記第１の適応された触覚的な要素及び前記第２の適応された触覚的な要素は、それぞれ、成形基材、表面が粗いパッケージ、表面が滑らかなパッケージ、柔らかい感触のパッケージ、及び絹のような感触の基材から成る群から選択される、１〜４のいずれか一項に記載のラインナップ。
【請求項６】
前記第１の拭き取り製品に第１の適応された聴覚的な要素がさらに備わっており、前記第２の拭き取り製品に第２の適応された聴覚的な要素がさらに備わっており、
前記第１の適応された聴覚的な要素及び前記第２の適応された聴覚的な要素は、鳥の鳴き声、流水、葉のこすれ、カエルの鳴き声、及び音楽から成る群から選択された音を含む、１〜５のいずれか一項に記載のラインナップ。
【請求項７】
前記第１の適応された視覚的な要素及び前記第２の適応された視覚的な要素は、それぞれ、基材に印刷された像または基材にエンボス加工された像を含む、１〜６のいずれか一項に記載のラインナップ。
【請求項８】
前記第１及び第２の適応された視覚的な要素の一方又は両方は、パッケージの像を含み、
好ましくは、前記第１の適応された視覚的な要素は、眠っている乳幼児、大人の腕に抱かれている乳幼児、及び水を含む自然の景色から成る群から選択され、
好ましくは、前記第２の適応された視覚的な要素は、遊んでいる子供を含むパッケージの像を含む、１〜７のいずれか一項に記載のラインナップ。
【請求項９】
拭き取り製品のラインナップであって、
基材と、前記基材に含浸された水性組成物と、収容するパッケージと、を有する第１の拭き取り製品であって、
対象とされた嗅覚的な要素、対象とされた視覚的な要素、対象とされた触覚的な要素、及び対象とされた聴覚的な要素から成る群から選択された第１の対象とされた感覚要素と、
対象とされた嗅覚的な要素、対象とされた視覚的な要素、対象とされた触覚的な要素、及び対象とされた聴覚的な要素から成る群から選択された第２の対象とされた感覚要素と、
対象とされた嗅覚的な要素、対象とされた視覚的な要素、対象とされた触覚的な要素、及び対象とされた聴覚的な要素から成る群から選択された第３の対象とされた感覚要素と、をさらに有し
前記第１、第２、及び第３の対象とされた感覚要素は、それぞれ、互いに異なる感覚に向けられている第１の拭き取り製品と、
基材と、前記基材に含浸された水性組成物と、収容するパッケージと、を有する第２の拭き取り製品であって、
前記第１の対象とされた感覚要素とは異なるが同じ感覚に向けられている第４の対象とされた感覚要素と、
前記第２の対象とされた感覚要素とは異なるが同じ感覚に向けられている第５の対象とされた感覚要素と、
前記第３の対象とされた感覚要素とは異なるが同じ感覚に向けられている第６の対象とされた感覚要素と、をさらに有する第２の拭き取り製品と、
を含む拭き取り製品のラインナップ。
【請求項１０】
前記第１の拭取り製品は鎮静効果をもたらすように適合され、このような適合は、少なくとも前記第１の対象とされた感覚要素、前記第２の対象とされた感覚要素、及び前記第３の対象とされた感覚要素に基づく適合を含み、
前記第２の拭取り製品は活性効果をもたらすように適合され、このような適合は、少なくとも前記第４の対象とされた感覚要素、前記第５の対象とされた感覚要素、及び前記第６の対象とされた感覚要素に基づく適合を含む、請求項９に記載のラインナップ。
【発明の詳細な説明】
【技術分野】
【０００１】
本発明は使い捨て拭き取り製品に関する。とりわけ本発明は、使用状況、望ましい効果、又はユーザーの発育段階の１つ以上に基づいて消費者グループに合わせて適応させるとともに、前記消費者グループを対象としているウェットタオル製品のラインナップに関する。前記適応は、嗅覚的な要素、視覚的な要素、触覚的な要素、及び聴覚的な要素など、特別に適合させた感覚要素の組み合わせによって実施する。前記の適合させた感覚要素は、拭き取り用品の基材、ローション、パッケージ、又はこれらいずれかの組み合わせに施すことができる。
【背景技術】
【０００２】
使い捨ての消費者製品の分野には、「拭き取り用品」又は「ウエットタオル」と総称されることの多い多種多様な製品が含まれている。一般に、これらの製品は、最も単純な形態では、水性ローション（クレンジング溶液、エマルション、又はペーストなど）を含浸させた不織布材料のウェブなどの基材（多くの場合事前に分離シート状に切断されている）から構成されている。拭き取り用品又はウェットタオル製品は、現在、消費者向けに様々な用途で市販されている。これらの用途としては、メーク落とし（化粧又はメークアップ拭き取り用品）、婦人衛生、一般用洗顔及び手洗い、家庭用洗浄（漂白剤を含浸させた拭き取り用品など）、自動車洗浄、及びおむつ交換時などの乳幼児及び子供の拭き取りが挙げられる。この最後の区分には、乳幼児及び小さな子供に使用するように特別な設計されている、「ベビータオル（baby-wipes）」と呼ばれることの多い様々な拭き取り製品が含まれている。
【０００３】
上述の拭き取り製品の多くでは、一般的なデザインは似通っているが（例えば、水性ローションを含浸させた使い捨て基材など）、重大な違いが存在している。例えば、家庭洗浄用に設計されており刺激成分が含有されている拭き取り用品は、顔、手、又は臀部などの洗浄用として皮膚に使用するのに適さないことは容易に理解される。拭き取り用品の単一のサブグループ（ベビータオルなど）の中でさえ、単一のメーカーの製品でも、消費者の様々なニーズや要望に合わせてかなりの違いがあり得る。例えば、ベビータオルは現在、複数の種類のにおい又は香料、あるいは複数の種類のローションを含ませたものが売られている（敏感肌及び非敏感肌用など）。ベビータオルに見られるその他の種類としては、タオルの基材自体に施す場合のあるエンボス加工のパターンの違いが挙げられる。
【発明の開示】
【発明が解決しようとする課題】
【０００４】
しかしながら、この拭き取り用品の商品数の増加、とりわけベビータオルの商品数の増加には欠点がある。一般に拭き取り用品、とりわけベビータオルの商品数の多さから、消費者は望ましい製品を簡単に探し出して購入するのが難しくなる。この現象は、とりわけ、消費者が乳幼児又は小さな子供連れで店に訪れることが多いベビータオル製品の場合に当てはまり、結果として様々な製品の提供点に、集中して目を向けにくくなる。さらに、拭き取り製品、とりわけベビータオル製品は比較的幅広いユーザーを対象としているため、消費者自身が最もニーズに合った製品を選択するのがさらに難しくなる可能性がある。これらのニーズは、望ましい効果、使用状況、及び製品を使用する乳幼児の発育段階などの要因によって異なる。
【０００５】
拭き取り用品、一般にベビータオル製品の商品数の増加に加えて、市場には、前記拭き取り用品のにおい付けとの関連による商品数の増加も見られる。拭き取り用品には、現在、ラベンダー、フルーツ、ベビーパウダーなどの複数のにおいが付いている。一部の消費者は、特定の望ましい効果を得る手段としてにおいを選択することを知っていたり、あるいはにおいを選択して使用することを知らされる（例えば、ラベンダーと沈静反応の相関性が知られていることから、ラベンダーのにおいの拭き取り用品を選択する消費者もいる）。拭き取り用品のにおいやその他の要素は様々に異なり、その商品数はさらに増加しており、消費者の選択をさらに複雑にしている。多くの消費者は、望ましい実際の製品を購入することに加えて、特定の使用目的または所望の効果に最適な製品を選択することに関心がある。
【０００６】
必要なのは、特定の所望の効果、使用状況、又は発育段階に対応するには、配列内のどの商品が最も適しているのかを消費者に明示するとともに、前記対応を実現させるために複数の感覚要素が用いられている製品の一群又はラインナップである。望ましい効果、使用状況、又は発育段階の１つ以上に複数の感覚要素を対応させると使用感が向上し、さらに特定の消費者に適応された製品の妥当性を効果的に伝えることができる。
【０００７】
消費者グループ内の特定の消費者を特に対象にしているベビーウェットタオル製品の一群又はラインナップが必要である。本発明は、これらのニーズに応じて、このような所望の効果、使用状況、及び／又は乳幼児の発育段階に対応するように特に適合させた複数の感覚要素を備えたベビーウェットタオル製品を提供する。ただし、以下に詳細に記載するように、本発明のその他の利点が存在し、また本発明によってその他のニーズにも対応できる。
【課題を解決するための手段】
【０００８】
本発明は拭き取り製品のラインナップを対象にしている。前記ラインナップは、少なくとも第１の拭き取り製品及び第２の拭き取り製品を含む。第１及び第２の拭き取り製品の各々は、基材と、基材に含浸させた水性組成物と、を有する。また、第１及び第２の拭き取り製品の各々は、各拭き取り製品を収容するパッケージも有する。第１の拭き取り製品は、第１の適応された嗅覚的な要素と、第１の適応された視覚的な要素と、を有する。同様に、第２の拭き取り製品は、第２の適応された嗅覚的な要素と、第２の適応された視覚的な要素と、を有する。第１及び第２の嗅覚的な要素は互いに異なり、第１及び第２の視覚的な要素も互いに異なる。第１の拭き取り製品は、少なくとも第１の適応された嗅覚的な要素及び第１の適応された視覚的な要素に基づいて乳幼児の第１の発育段階に対応するように適合されている。第２の拭き取り製品は、少なくとも第２の適応された嗅覚的な要素及び第２の適応された視覚的な要素に基づいて乳幼児の第２の発育段階に対応するように適合されている。乳幼児の第１及び第２の発育段階はそれぞれ互いに異なる。第１及び第２の拭き取り製品の各々には、その製品が対応している発育段階を示すしるしが付いている。
【０００９】
第１の発育段階は、依存段階、探検段階、及び学習段階から成る群から選択される。
【００１０】
第１の適応された嗅覚的な要素は、ラベンダー、カモミール、バラ、オレンジ、ゲッカコウ、ビャクダン、シーダー材、ベルガモット、ベンゾイン樹脂、及びバニラから成る群から選択されたにおいを含む。
【００１１】
第２の適応された嗅覚的な要素は、緑茶、リンゴ、ヤクヨウニンジン、及びメントールから成る群から選択されたにおいを含む。
【００１２】
第１の拭き取り製品は第１の適応された触覚的な要素を含み、第２の拭き取り製品は第２の適応された触覚的な要素を含む。第１の適応された触覚的な要素及び第２の適応された触覚的な要素はそれぞれ、成形基材、表面が粗いパッケージ、表面が滑らかなパッケージ、柔らかい感触のパッケージ、及び絹のような感触の基材から成る群から選択される。
【００１３】
第１の拭き取り製品は第１の適応された聴覚的な要素を含み、第２の拭き取り製品は第２の適応された聴覚的な要素を含む。第１の適応された聴覚的な要素及び第２の適応された聴覚的な要素はそれぞれ、鳥の鳴き声、流水、葉のこすれ、カエルの鳴き声、及び音楽から成る群から選択された音を含む。
【００１４】
第１及び第２の適応された視覚的な要素はそれぞれ、基材に印刷された像または基材にエンボス加工された像を含む。
【００１５】
第１及び第２の適応された視覚的な像は、それぞれ、パッケージの像を含む。これらパッケージの像は、眠っている乳幼児、大人の腕に抱かれている乳幼児、及び水などの自然の景色から成る群から選択される。パッケージの像には、遊んでいる子供を含むこともできる。
【００１６】
本発明は、基材と、基材に含浸させた水性組成物と、をそれぞれ有する第１の拭き取り製品及び第２の拭き取り製品を含む拭き取り製品のラインナップを含む。各製品はパッケージに収容される。第１の拭き取り製品は、それぞれ対象とされた嗅覚的な要素、対象とされた視覚的な要素、対象とされた触覚的な要素、及び対象とされた聴覚的な要素から成る群から選択された第１、第２、及び第３の対象とされた感覚要素を含む。同様に、第２の拭き取り製品は、それぞれ対象とされた嗅覚要素、対象とされた視覚要素、対象とされた触覚要素、及び対象とされた聴覚要素から成る群から選択された第４、第５、及び第６の対象とされた感覚要素を含む。第１、第２、及び第３の感覚要素は、それぞれ異なる感覚に向けられている。第４、第５、及び第６の感覚要素も、それぞれ異なる感覚に向けられている。第１及び第４の感覚要素は互いに異なるが、同じ感覚に向けられている。同様に、第２及び第５の対象とされた感覚要素は互いに異なるが、同じ感覚に向けられている。第３及び第６の対象とされた感覚要素も互いに異なるが、同じ感覚に向けられている。
【００１７】
第１の拭き取り製品は鎮静効果をもたらすように適合させることが可能であり、このような適合には少なくとも前記第１の対象とされた感覚要素、前記第２の対象とされた感覚要素、及び前記第３の対象とされた感覚要素に基づく適合が含まれる。
【００１８】
第２の拭き取り製品は活性効果をもたらすように適合させることが可能であり、このような適合には少なくとも前記第４の対象とされた感覚要素、前記第５の対象とされた感覚要素、及び前記第６の対象とされた感覚要素に基づく適合が含まれる。
【発明を実施するための最良の形態】
【００１９】
この「発明を実施するための最良の形態」で使用するすべての用語の明確な定義は、特許請求の範囲の構成に含まれるすべての目的に対してこれらの用語を解釈するように使用することを意図している。定義する用語は、「本明細書」で使用する時、あるいは本「発明」、「用途」、又は「仕様」の目的のために使用する時、特許請求の範囲を含む開示全体に適用することを意図し、また明示的に定義した用語は、使用する場合には常に、一定の定義を有していることを意図している。
【００２０】
本発明は、一般に拭き取り製品の一群又はラインナップを対象にしている。本明細書で使用する時、「ラインナップ」及び「一群」という用語は、互いに交換可能であることを意味する。「一群」又は「ラインナップ」は、個別に売られているが、それぞれ、さらに広範な集合的商品の一部である２つ以上の製品を意味する。ラインナップ又は一群内の個々の商品は、いくつかの共通点又は関連性によって相互に関連し合っている。このような共通点又は関連性の例としては、共通のブランド名、共通のロゴ、共通の配色、共通のデザイン、又は、ラインナップ又は一群が全体として属しているグループ全体の中のサブグループと関連があり、また前記サブグループに属する商品であることを示すその他いずれかのしるしが挙げられるが、これらに限らない。
【００２１】
ベビーウェットタオルのユーザーは、それぞれニーズ、所望の効果、又は使用状況がいくぶん異なる可能性のあるサブグループから成る。本発明では、様々なサブグループの特定のニーズ、所望の効果、又は使用状況に最もよく適う（又は対応する）ように適応させた製品設計特徴（とりわけ適応された感覚要素）を使用する。これらの適応された感覚要素により、この製品の適応された状態（及び結果として妥当性）の実態を伝達する。さらに、この感覚要素の適応により、複数の感覚を連係させることで、このような方法で適応させていない製品よりも優れた製品効果及び使用感をもたらす強力な製品特徴を実質的に形成することができる。
【００２２】
ラインナップ内の個々の製品の設計対象となるニーズ、所望の効果、又は使用状況の違いの例としては、乳幼児の発育段階の違いが挙げられるであろう（例えば、以下に詳細に記載する依存段階の乳幼児、又は学習段階の乳幼児など）。別の例としては、昼寝時間前後の保育時における使用、及び食事や遊び時間などの活動状況における使用が挙げられる。上記の各例は、他の例とは異なるベビーウェットタオルの異なるニーズ、又は前記ベビーウェットタオルに対する期待に関連させる。
【００２３】
上述したように、本発明は拭き取り製品のラインナップ及び一群に関するものである。拭き取り製品には少なくとも基材を含む。このような拭き取り用品の基材には特別な設計は必要なく、いずれの拭き取り用品の基材の手法及び種類も好適であることは当業者であれば容易に理解される。基材としては不織布材が一般的であるが、必ずしも必須ではない。基材は、エアレイイング、カーディング、スパンボンディング、スパンレーシング、ハイドロホーミングなど、既知のいずれかの方法でシート状材料に形成可能である。本発明による拭き取り用品の基材の性質は、均質であっても不均質であってもよい。例えば、１枚の均質なウェブが好適な場合もあるが、層状基材で各層の一部又は全部で繊維組成物が異なる基材が望ましい場合もある。さらに、性質の異なる領域が存在していてもよい。拭き取り用品の基材は、セルロース系繊維（レーヨン、綿、パルプ、リオセル、及びこれらのバリエーションなど）、あるいはポリエチレン、ポリプロピレン、バイコンポーネント、又はその他の合成繊維など、従来の様々な天然及び／又は合成繊維から製造可能である。
【００２４】
本発明のラインナップに使用するのに好適な拭き取り用品には、特別な形状又は大きさは必要なく、様々な好都合の形状及び大きさで提供可能である。製造や配分が簡単なことから、拭き取り材料に方形のシートを使用するが、拭き取り用品は曲線状、円形、又はその他の形状を使用する。個々のシートは（交互に配置した「ポップアップ」構造などで）個別に包装することが可能であり、あるいはユーザーが後から（穿孔などによって）切り離すように、拭き取り用品は連続的なスタック状又はロール状に包装することができる。
【００２５】
例証及び説明が容易なことから、本発明では、ウェットタオル、及びとりわけベビーウェットタオルについて説明する。これらの例は本用途を実証する目的で使用するが、本発明のラインナップ及び一群は、ウェットタオル及びベビーウェットタオル以外のその他の拭き取り用品でも実施される。本出願で使用する時、「ウェットタオル」という用語は、湿分含量が基材の約１０重量％超である拭き取り製品を意味する。一部の拭き取り用品は、測定可能な程度の湿分含量を含んでいるものの、見たところ「乾燥」した状態で出荷されている。例えば、あるクレンジング用拭き取り用品（入浴、洗顔、又はメーク落とし用など）には、拭き取り用品の基材に含浸ないしは別の方法で組み込んだクレンジング溶液が低い湿分含量（一般に約１０％未満）で含まれている。この溶液は、拭き取り用品を水に浸すと、拭き取り用品から放出され得る。ウェットタオルの湿分含量は、多くの場合、包装時の方が高くなっている（例えば、約５０〜約３５０重量％以上）。本出願では、「ウェットタオル」という用語は、基材の約１０重量％超の水分による湿分含量を含む拭き取り製品を意味する。本出願では、基材に付与させた湿分含量を総称して「ローション」と呼ぶ。このようなローションは、溶液、エマルション、又はその他いずれかの種類の組成物であり、一般的にはある種の水性クレンジング製剤である。このような種々のローションは、当該技術分野において既知であり、好適である。
【００２６】
ベビーウェットタオルは一般に、消費者が乳幼児や子供の皮膚を清浄にするために使用するものである。本明細書で使用する時、「乳幼児」という用語は、新生児から約２〜７才までの年齢範囲の子供について述べることを意味する。幼い子供は、よちよち歩きの幼児、未就学児、又は学齢児の子供など様々に呼ばれることが多いが、これらはすべて前記の定義に入る。本明細書で使用する時、乳幼児の定義には、より幼い乳幼児（新生児と比較した場合など）に比べて、話すことができ、歩く技術など、より高い技能を備えた年齢の子供が含まれることをとりわけ意図している。このようなより年長の乳幼児（本明細書で使用する用語の場合）は、ベビーウェットタオル製品を自分で使用できるであろうが、より幼い乳幼児は、製品の使用に世話人を必要とする。乳幼児（本明細書で使用する用語の場合）の年齢に決まった上限はなく、乳幼児が発育段階を経て発達する速度はそれぞれ異なることは理解されるであろう。発育段階や状況の特徴（以下に詳細に記載する）は、このような段階や状況に割り当てられる一般的な年齢範囲より重要であるかもしれない。年齢範囲は必然的な平均値や一般論によるものである。本発明のラインナップの機能は、状況や段階（厳密な年齢基準なしに決定される）に基づいて適合させることから、本発明の利点の１つとなっている。乳幼児に決まった年齢上限は存在しないが、乳幼児がラインナップ内の特定の製品について最終的に購入を決めるならば、この乳幼児は上記で定義した意味の範囲内の乳幼児ではないと考えられることは一般的である。換言すれば、年長の乳幼児は自分の段階や使用状況についてベビータオルの使用や購入に関与できるとしても、多くの場合に自分自身では購入の決断を完全には下さないであろう（例えば、５歳児は親に希望の製品を言うかもしれないが、購入するかどうかは最終的に親が決める）。この重大性は、ラインナップに感覚要素を適合させること、及びこのような適合状態を乳幼児及び世話人の両方に知らせることに関する以下の記述の文脈でさらに明らかになる。
【００２７】
ベビーウェットタオル製品の一般的な使用法としては、おむつ交換時の臀部及び会陰部の清浄、並びに手、顔、及びその他の体の部位の清浄が挙げられる。「ベビーウェットタオル」及び「ウェットベビータオル」という用語は互いに交換可能であり、これらの用語には、新生児からよちよち歩きの幼児及び２〜７才の年齢範囲の子供に使用するように特に設計及び適合させたウェットタオル製品が含まれることを意図している。このような年齢範囲の中でより年長の乳幼児用の拭き取り用品は、「よちよち歩き用タオル」又は「よちよち歩き用トイレタオル」、あるいは同様の表現で呼ばれることがある。このような製品の例としては、プロクター＆ギャンブル社（Procter and Gamble Company）（オハイオ州シンシナティ）が製造及び販売しているタオルのパンパースカンドゥー（PAMPERS KANDOO）が挙げられる。このような製品は、商業的又は非公式に「ベビータオル」以外の表現で呼ばれることがあっても、明らかに本明細書で使用する用語としてのベビーウェットタオルの定義に含まれることを意図している。
【００２８】
本発明によるベビーウェットタオルのラインナップには、対象となる、又は適合させた個々のベビーウェットタオル商品を２つ以上含めることができる。本明細書で使用する時、「対象とされた」、「適応された」、及び「対応するように適合された」という用語は、互いに交換可能であることを意味し、製品の態様が全体としてベビーウェットタオル市場の小区分の１つ以上の態様に対応するように特に選択されたことを意味しているものと解釈する。特に、対象とされた要素又は適応された要素は、要素の対象又は適合対象であるベビーウェットタオルユーザーの亜母集団の特定の態様又は属性に基づき、ラインナップ内の商品間で異なる。例えば、本発明のこのような製品のラインナップ内の個々のベビーウェットタオル製品は、２つ以上の乳幼児の発育段階、２つ以上の使用状況、２つ以上の所望の効果、又はこれらいずれかの組み合わせを対象にする。これらの概念、及び一般には対象とされた商品又は適応された商品の概念の理解が容易なことから、例証の目的で乳幼児の発育段階についてより包括的に説明する。
【００２９】
「乳幼児の発育段階」という用語は、乳幼児が新生児からより年長の乳幼児（２〜７才位）まで発育する過程で、乳幼児に典型的な主な特徴を意味する。とりわけ、本明細書で使用する文脈では、各発育段階（以下に詳細に記載する）は、認識、運動、感情、及び学習の代表的な発達特性によって特徴付けられる。本発明のラインナップ内の個々のウェットベビータオルは、一般的なベビーウェットタオル又は別の段階に適応させたベビーウェットタオルに比べて、該当する段階の乳幼児のニーズに合うように、あるいは該当する段階の乳幼児の感覚能力を高めるように（このように適応させていないベビータオル製品に比べて）とりわけ適するように適応可能である。
【００３０】
乳幼児の発育段階は、新生児から自立しようと努める活発なよちよち歩きの幼児までの範囲である。例えば、第１の発育段階は動く前の時期を対象とし、新生児、及びその他の親や世話人に依存している段階にある動けない幼児が含まれる。このような乳幼児の行動レベルは、せいぜい頭を持ち上げたり、寝返りを打つ程度と思われる。第２の発育段階は、這う時期を含む発見段階を対象とし、座るという形での行動並びに突進する（scooting）、転がる及び這うという形での可動性が発達中である好奇心の強いよちよち歩きの幼児が含まれる。第３の発育段階は、歩行時期を含む探検段階を対象とし、その行動のレベルとして、立つ、歩く及び走り始めることが挙げられるよちよち歩きの幼児が含まれる。第４の発育段階は、学習の時期を対象とし、衣服を着ることなどは自分ででき、且つバランスを失わずに歩いたり、走ったりすることを可能にする調整力が発達中であるよちよち歩きの幼児が含まれる。第５の発育段階は、訓練段階を対象とし、自立しようと努め、トイレトレーニング中のよちよち歩きの幼児が含まれる。その他の段階も考えられる。乳幼児の発育段階のより詳細な説明は、米国特許第６，７６３，９４４号に記載されている。望ましい場合には、これらの段階のいくつかを既定の手法で統合したり、あるいはこれらの段階をさらに分割したりしてもよい。例えば、異なる段階の乳幼児に適応させた拭き取り用品のラインナップには、第１の依存段階の乳幼児用の商品、第２の探検段階の乳幼児用の商品、及び第３の学習段階の乳幼児用の商品が含まれるであろう。この特定の例では、探検段階は、上記及び米国特許第６，７６３，９４４号に記載されている第２の発見段階及び第３の探検段階を合わせたものであってもよい。同様に、学習段階は、上記及び米国特許第６，７６３，９４４号に記載されている第４の学習段階及び第５の訓練段階を合わせたものであってもよい。
【００３１】
ベビータオル商品を様々な発育段階に適応させる場合に重要な特性は、該当する段階におむつ又はその他のベビー製品を適応させる場合に重要な特性とは異なる可能性がある。換言すれば、ベビーウェットタオルを最適に設計可能な特定の発育段階（依存段階など）の該当する特徴は、おむつ製品（又はその他のベビー製品）を最適に設計可能な依存段階の該当する特徴とは異なるであろう。さらに、本発明のラインナップ内の個々のベビータオル製品は、本質的に段階ではない乳幼児の小区分に基づいて適応させる。このような例としては、使用状況及び／又は効果が挙げられる。これらの例のいずれか一方又は両方は、単独で、あるいは製品を適応させる発育段階と組み合わせて、適応した拭き取り製品のラインナップ内で提供され得る。
【００３２】
所望の効果に基づいて適応させた拭き取り製品のラインナップの例としては、乳幼児に鎮静効果を提供するように適応させた拭き取り製品、及び乳幼児に刺激効果をもたらすように適応させた第２の拭き取り製品を含むラインナップが挙げられるであろう。鎮静効果をもたらすように適応させた製品は、状況に応じて選択することができる（例えば、刺激製品は遊び場での遊び時間や食事などの活動時間に望ましい場合がある）。
【００３３】
ラインナップ内の拭き取り製品を同時に発育段階と所望の効果の両方に適応させることも可能である。換言すれば、ラインナップ内の特定の商品の適応対象であるユーザーの小区分には、複数の不確定要素が含まれ得る。
【００３４】
各発育段階に適応した商品を備えた本発明のラインナップの一例には、依存段階に適応した商品が含まれるであろう。このような拭き取り製品は、柔軟性や保温性、高度なスキンケア、及び穏やかな成分を提供する感覚要素を組み込むように特別に設計され得る。所望により、鎮静効果をもたらすように設計した感覚要素は、この段階への適応の一環として、あるいは段階とは関係なく、望ましい場合がある。探検段階に適応させた商品には、この段階の乳幼児の感覚を発達させるのにふさわしく設計した感覚要素を組み込むことができる。前記感覚要素としては、活動的で斬新な、刺激性の感覚要素が挙げられるであろう。所望により、刺激効果をもたらすように設計した感覚要素は、この段階への適応の一環として、あるいは段階とは関係なく、望ましい場合がある。学習段階に適応させた商品には、この段階の乳幼児の機能獲得及び自立を促すのにふさわしく設計した感覚要素を組み込むことができる。前記感覚要素としては、この段階の乳幼児が使用するのに簡単で、楽しく、直感的な感覚要素が挙げられるであろう。感覚要素は、この段階の乳幼児が学習を促進させたり、楽しんだり、あるいは創作的で独創的になるように選択することができる。
【００３５】
本発明のラインナップ内の拭き取り製品を適応可能なサブグループの別の例としては、高度な洗浄感を求めたり、敏感肌に適応した能力を求めたりするグループが挙げられる。このような商品の感覚要素は、これらの能力を強化するように設計され得る。
【００３６】
本発明の一群又はラインナップ内の様々な拭き取り商品を適応可能な方法の１つは、感覚要素に基づくことである。上述したように、異なる発育段階の乳幼児に対応するように様々な製品を適応させることができる。この例における発育段階は、感覚要素を適応させて対応させたニーズ又は特性を持つサブグループを意味し、一方の感覚要素は、これらのニーズ又は特性により良く適合するように適応させたものを意味する。
【００３７】
本発明のラインナップに適応可能なウェットタオル製品の感覚要素には、嗅覚的な要素、視覚的な要素、触覚的な要素、及び聴覚的な要素のいずれか又はすべてを含めることができる。これらの各要素は、それぞれ嗅覚、視覚、触覚、及び聴覚などの特定の感覚に知覚されるように設計する。十分に考えられた本発明のラインナップでは、複数の感覚要素を本発明に従って有し、適応させている。
【００３８】
上述したように、ウェットタオル、とりわけベビーウェットタオルは、嗅覚的な要素を有していることが多い。ウェットベビータオルのにおいは、ローションに配合され得る。現在市販されているウェットベビータオルには、既に様々なにおいが施されている。現在市販されているにおいとしては、ラベンダーのにおい、カモミールのにおい、フルーツのにおい、及びベビーパウダーが挙げられる。これらの現在市販されているにおい以外のその他のにおいも、本発明の一環として施され得る。ウェットベビータオルのローションには、タオルに望ましい量のにおいをもたらすように、香料又はその他の芳香成分の有効量を含有することができる。におい付きのタオルは、ウェットベビータオルの使用に結びつく可能性があるにおいをマスクするのに望ましい場合がある。これらのにおいとしては、ローション自身のにおいや、乳幼児又は子供から拭き取った体外排泄物のにおいが挙げられるであろう。においのマスク以外にも、ウェットベビータオルににおいを施す別の目的としては、タオルの使用時ににおいを通じて心地よい感覚をもたらすことが挙げられる。このようなにおいの体感は、それ自体を目的として施したり、あるいは特定の効果をもたらすように施したりすることができる。
【００３９】
特定の効果をもたらすようににおいを使用することは、近年人気を博している。種々のにおいは、種々の生理学的反応、及びその他の潜在的な望ましい反応や効果と相関性があることが知られている。アロマセラピーの分野は、これらのにおいと特定の反応との相関性を利用したものである。特定の生理学的反応と相関性があるにおいの例としては、沈静反応をもたらすにおいの使用が挙げられる。沈静反応を誘発するために使用可能なにおいとしては、ラベンダー、カモミール、ゲッカコウ、ビャクダン、シーダー材、ベルガモット、桂皮、バニラ、ベンゾイン樹脂、カノコソウ、ホップ類、ジュニパー、イランイラン、アネトール、２−エチル−４（２’，２’，３’−トリメチルシクロペント−３’−エニル）ブト−２−エノール（バンガロール（Bangalol）（登録商標）など）、メボウキ油、シス−ヘキス−３−エノール、クマリン、エチレンブラシレート、エチルリナロール、２−（２’−メチルプロピル）−４−ヒドロキシ−４−メチルテトラヒドロピラン（フロローザ（Florosa）（登録商標）など）、ヘキサヒドロ−４，６，６，７，８，８−ヘキサメチルシクロペンタ［ｇ］−２−ベンゾピラン（ガラクソリド（Galaxolide）（登録商標）など）、ゲラニオール、シクロヘキサデカノリド、シクロペンタデカノン、アントラニル酸メチル、α−イソ−メチルイオノン、ジメチルベンジルカルビニルブチレート及びフェノキシエチルイソブチレートの混合物（プルネラ（Prunella）（登録商標）など）、シクロヘキサデカノリド及びシクロペンタデカノンの混合物（シルバノン（Silvanone）（登録商標）など）、α−テルピネオール、６−アセチル−１−イソプロピル−２，３，３，５−テトラヒドロテトラリン（トラセオリド（Traseolide）（登録商標）など）、２−エトキシ−４−メチルフェノール（ウルトラバニル（Ultravanil）（登録商標）など）、γ−ウンデカラクトン、ベチバル油、及びベチバルアセテートが挙げられるであろう。においの使用により誘発可能な生理学的反応の別の例は、刺激反応である。刺激反応を誘発するために使用可能なにおいとしては、緑茶、柑橘類（オレンジなど）、リンゴ、ヤクヨウニンジン、メントール、ミント類（ペパーミントなど）、ヒメウイキョウ、サルビアセージ、コリアンダー、ユーカリ、グレープフルーツ、レモン、レモングラス、ライム、プチグレイン、セージ、ギョリュウバイ、カルダモン、シーダー材、ディル、乳香、ゼラニウム、ジャスミン、ネロリ、及びローズマリーが挙げられる。ベビーウェットタオルに施すことが可能なその他のにおいとしては、蜂蜜、バラ香水、ウィッチヘーゼル、白茶、カンゾウ、アニス、杏仁、アボカド、バームミント、セイヨウヤマハッカ、カバノキ、クヘントウ、ダイダイ、粘土、クローブリーフ、クローブ、ココナツ、サイプレス、マツヨイグサ、ウイキョウ、クチナシ、ショウガ、ブドウ種子、ヘイゼルナッツ、イガニガクサ属、インディゴブッシュ（indigo bush）、ホホバ、キウイ、月桂樹、シナノキ、ラビッジ、カミツレ、ムスクローズ、ナツメグ、オリバナム、オレンジフラワー、オレンジ、桃仁、パチョリ、メグサハッカ、マツ、パインタール、ローズヒップ、バラ、ヘンルーダ、ニワトコ、サッサフラス、ゴマ、ヨーロッパ��ミ、ヘントウ、スイートマジョラム、ニオイスミレ、タール、タイム、小麦胚、ワイルドミント、セイヨウノコギリソウなど、並びにこれらの混合物が挙げられるであろう。特定の生理学的反応又はその他の効果を誘発する目的で拭き取り用品に嗅覚的な要素を施すことは、必ずしも必要ではない。におい自体を引き立たせるために嗅覚的な要素を拭き取り用品に施すことができる。本出願では、無香又は特性のないにおいも嗅覚的な要素の定義内とみなす。このようなケースは、特に対象となる所望の効果、使用状況、又は発育段階の１つ以上に対応するように、とりわけ特性のないにおい又は無香を選択した場合である。
【００４０】
特定のにおい又はにおいの種類を特定の消費者グループに適応させると、拭き取り製品自体の効果や受入れを向上させる可能性があることが、本発明の開発中に明らかになった。例えば、上述した沈静反応又は刺激反応のいずれかを誘発するように嗅覚的な要素を適応させた例は、単独で、あるいは発育段階への適応と組み合わせて、施すことが可能である。例えば、ラベンダーのにおいのベビーウェットタオルは、依存段階の乳幼児あるいはより活発な乳幼児又は子供が、昼寝又は就寝前、あるいはその他いずれかの落ち着きたい時間に使用するのにとりわけ好適なことがある。この例は、状況（子供を寝かせることなど）又は発育段階（落ち着いた保育環境を望むと思われるよく寝る幼い乳幼児など）に基づいて、特定のにおい（ラベンダーなど）を特定の消費者グループ（沈静感を望む集団など）に適応できることを示している。別の例では、刺激性のにおい（緑茶又は柑橘類など）を発育の探検段階にあるより活発な子供（探検段階の乳幼児など）に適応する。同様に、このような適応は、例えば、世話人がウェットベビータオルで遊んでいる子供の手や顔を拭きたいが、ラベンダーのにおいが引き起こす沈静反応は誘発したくない場合など、状況に基づいている。実際にこのような例では、活性反応が望ましい場合もある。
【００４１】
状況による適応に加えて、ウェットベビータオルの嗅覚的な要素は、においの好みに基づいて適応させることができる。においの好みは、乳幼児及び子供の年齢又は発育段階に関連がある可能性があることが、本発明の開発中に明らかになった。例えば、依存段階に適応させた製品には、穏やかな感覚、落ち着き、又は皮膚への配慮をもたらす嗅覚的な要素を含めることができる。このような嗅覚的な要素としては、花のにおい、その他の植物系のにおい、優しいにおい又はその他の穏やかなにおい、あるいは沈静反応に関して上述したいずれかのにおいが挙げられるであろう。
【００４２】
学習段階の乳幼児には、フルーツ系のにおいを有する製品が提供される。学習段階の乳幼児は、「グレープ」又は「ストロベリー」などの食物の名前を用いたにおいに言及する傾向さえあるかもしれない。学習段階の乳幼児に好適と考えられるその他のにおいとしては、柑橘系のにおい、興奮性及び刺激性のにおいが挙げられ、これには活性効果の提供について上述したいずれかのにおいが含まれる。
【００４３】
上記の例で説明したように、嗅覚的な要素を特定の消費者グループに適応させると望ましいであろうというだけでなく、このような嗅覚的な要素の適応を別の感覚要素の適応と組み合わせると望ましいであろうことが、本発明の開発中に明らかになった。例えば、嗅覚的な要素を適応させたウェットベビータオルに、さらに視覚的な要素、触覚的な要素、及び／又は聴覚的な要素を組み合わせると望ましいであろうことが、本発明の開発中に明らかになった。理論に束縛されるものではないが、このようなアプローチにより、種々の潜在的な効果が得られると考えられる。第１に、におい（及びその他の製品の種類）の商品数が増え、より特異的になると、特定の消費者又は消費者グループが簡単に望みの製品を見つけるにはより複合的な能力が必要になる。製品のパッケージに表示されているにおいの記載（ラベンダーのにおい付き拭き取り用品という表示など）は有用であるかもしれないが、このようなラベル表示は、通常、多くの製品を短時間で見た場合に素早く見分けることができない。対象とされた嗅覚的な要素を引き立たせるように対象とされた視覚的な要素（又はその他の感覚要素）を選択すると、該当する消費者サブグループが店頭や自宅でさえ製品を簡単に見つけ出せる能力を向上させる可能性がある。さらに、複数の感覚（嗅覚及び視覚など）を組み合わせると、総体的により良いウェットベビータオルの使用感を提供でき、また種々の感覚要素により、複合的な効果を強化及び提供することさえできることが、本発明の開発中に明らかになった。例えば、鎮静効果をもたらすように特定のベビーウェットタオル製品を適応させる場合、沈静化する感覚要素（ラベンダーのにおいなど）を沈静化する視覚的な要素及び沈静化する触覚的な要素と組み合わせると、望ましい製品（すなわち鎮静効果のあるベビータオル）を見つけ出すのがより簡単になる可能性があり、沈静化する嗅覚的な要素だけ、あるいは沈静化する視覚又は触覚的な要素だけの場合より鎮静効果を高めることができ、さらに組み合わせによる相乗効果ももたらすことができる。この感覚では、感覚要素が複数の感覚に互いに作用し、複数の感覚が互いに強化し合って引き立て合う。このような強化により、対象段階に適した乳幼児の感覚的発達を刺激する可能性さえある。
【００４４】
特定の効果、使用状況、又は発育段階に適応された視覚的な要素は、多くの形態をとることができる。例えば、鎮静効果に適応された視覚的な要素には、沈静反応をもたらすように、あるいは見た人が穏やかさを感じるように、適応された景色（図画、写真、又は絵記号など）を含む。このような穏やかなイメージの例としては、眠っている乳幼児の像、あるいは母親の腕に抱かれている穏やかな乳幼児又は眠っている乳幼児の像が挙げられるであろう。この種の対象とされた視覚的な要素として施すことが可能なこのような像の例を図１の像１０に示す。平穏そうな平原や水を含む像などの落ち着く自然の景色も、鎮静効果に適応された視覚的な要素として使用可能である。景色（パッケージの景色など）に加えて、色彩の形態で対象とされた視覚的な要素を施すことができる。沈静化ないしは別の方法で落ち着きを提供する色彩（柔らかな色調、鮮明なコントラストがない、パステルカラーなど）により、鎮静効果に適応された視覚的な要素をもたらすことができる。ぼかした、柔らかい、又は丸みのあるデザイン又はパッケージ縁部も使用可能である。この例では、鎮静効果を視覚的に伝えるために、眠っている乳幼児の絵記号をパッケージ又は拭き取り用品自体に施す。このような沈静化する視覚的な要素は、沈静反応に適応させる目的で施すか、あるいは依存段階の乳幼児に適応された拭き取り製品の一環として適応させる。依存段階に適応させた視覚的な要素は、柔らかく暖かい色彩、色調、及びイメージを特徴とする。適応された視覚的な要素には、拭き取り用品の１つ以上の成分を示す絵画、図画、又は写真が含まれる（例えば、ラベンダー香料が拭き取り製品の成分である場合、ラベンダーの花の絵など）。
【００４５】
別の例として、視覚的な要素を活性効果に適応させる場合は、別の視覚的な要素が適当であろう。このような例としては、より活動的又は刺激的な景色を示した写真、絵記号、又は図画が挙げられるであろう。これには、子供が遊んでいたり、探検していたり、ないしは別の方法で他人や周囲と活動的に交流している像を含む。この種の対象とされた視覚的な要素として施すことが可能なこのような像の例を図２の像１２に示す。このような視覚的な要素の色彩は、力強く、鮮やかであるか、あるいは鎮静効果に適応された視覚的な要素に比べてコントラストが高い。原色、より明確な図案、複雑な三次元の形状及びパターン、並びによりくっきりしたパッケージ縁部は、すべて刺激性の視覚的な要素の例である。パッケージ又は拭き取り用品自体に、歩いている乳幼児又は遊んでいる乳幼児の絵記号、あるいは手又は乳幼児の顔の絵記号を表示することができる。このような絵記号は、視覚的に活性効果又は活動的な状況（拭き取り用品が遊び時間中に手や顔を洗うように適応していることなど）をもたらすであろう。これらの活性特徴は、このような活性反応に適合する目的で施すことが可能であり、あるいは探検段階の乳幼児に適応させた拭き取り用品の一環である。
【００４６】
注意しなければならないのは、依存段階のすべての乳幼児が、ベビータオルを使用する全状況で沈静感を望むであろうとは限らないことである。ただし、鎮静効果はこの段階の特徴的な要望である。鎮静効果は依存段階に適応させた製品の典型的な要求特徴であるが、依存段階の乳幼児でも正反対に思われる効果（活性効果など）を望むかもしれない使用特有の事例があり得ることは、適切に設計した本発明のラインナップでは理解されるであろう。このようなケースにおいて、適切に設計したラインナップでは、その段階に対応した典型的な使用について製品の適合性を知らせることができ（依存段階用に設計した拭き取り用品など）、同時にラインナップ内の異なる商品をより適切に選択及び使用するよう呼びかける使用特有の状況も知らせることができる。
【００４７】
適応された視覚的な要素は、拭き取り用品のパッケージ、拭き取り用品自体、あるいはその両方に施される。適応された視覚的な要素は、上述した嗅覚的な要素、並びに以下に詳細に記載する聴覚及び触覚的な要素など、その他の適応された感覚要素と組み合わせて施される。例えば、依存段階の乳幼児に使用するのに適応させたベビーウェットタオルには、上述したような依存段階の乳幼児に適応された嗅覚的な要素（植物系のにおいなど）及びこのような乳幼児に適応された視覚的な要素（赤と黒などのコントラストの高い色彩など）を施す。学習段階の乳幼児に使用するのに適合されたベビーウェットタオルには、フルーツのにおいなどの適応された嗅覚的な要素が施される。対応する適応された視覚的な要素には、人気のある子供のキャラクターのデザイン、パズル、又はその他の学習段階により好適な（例えば、子供自身に興味を持たせ、注意を引くことによる）要素を含む。
【００４８】
その他の適応された感覚的な要素も本発明の一環として施される。例えば、適応された聴覚的な要素、適応された触覚的な要素、又はその両方を共に施すことができる。触覚的な要素の例としては、拭き取り用品の基材自体の質感が挙げられる。これらの質感は、きめが粗かったり、滑らかであったり、あるいはその他いずれかの望ましい触感であるように、多種多様であり得る。その他の適応された触覚的な要素は、パッケージに関連させて施すことができる。例えば、拭き取り用品の包装は、柔らかい感触の材料及び／又は可撓性の材料から製造することが可能であり、あるいはよりきめの粗い表面で構成され得る。このような表面は、その他の感覚要素（視覚的な要素又は嗅覚的な要素など）を強化するように選択され得る。パッケージ又は拭き取り用品の基材自体に施す触覚的な要素は、乳幼児の発育段階に適応させることができる。例えば、高度に成形した基材又はきめの粗い基材（米国特許出願第２００４／０２４２０９７号に記載されている基材など）は、探検段階に対応した触感の発達にとりわけ好適である可能性がある。パッケージ及び基材自体の柔らかい触感は、依存段階に望ましいであろう。基材及びパッケージの両方に触覚的な要素を使用して、適応が望ましい状況的基盤である強力な洗浄効果を提供及び強化することができる。また、触覚的な要素は、基材の厚みを変えることによって適応され得る。このような変化により、柔らかさを伝え、清浄性を強化し、触感を刺激し、あるいは対象となる発育段階又は状況に適したその他いずれかの触覚反応を実現させることができる。拭き取り用品自体の大きさも、とりわけ子供が自分で拭き取り用品を使用する機会が多い学習段階においては、触覚的な要素の基盤の一環になり得る。学習段階の乳幼児の手の大きさに合わせて拭き取り用品の大きさを適切に選択することも、このような拭き取り用品に付随する触感の一環であり得る。
【００４９】
本発明の一環として、聴覚的な要素を含めることもできる。ウェットベビータオル製品のパッケージには、音を発する機構を施すことができる。この例としては鳴き声が挙げられ、取り出すために拭き取り用品の容器を開けたり、拭き取り用品を開口部から引き出したり、容器を詰め替えたり、あるいはその他の好適な行為を行うと音が出る機構が考えられる。このような音は、商品に施した嗅覚、視覚、又は触覚的な要素を引き立てるように適応させることができる。例えば、適応された嗅覚的な要素（依存段階用の植物のにおいなど）を備えたベビーウェットタオルは、母親の腕に抱かれて眠っている乳幼児の写真（適応された視覚的な要素）が付いた容器に包装され得る。これらの要素は、パッケージを開くと緩やかな流水音が流れる装置と組み合わせることができる。当然のことながら、この特定の例では、その他のいずれかの穏やかな音又は落ち着く音も適応された聴覚的な要素として好適である。別の状況又は発育段階にその他の音を適応させることができる。この例としては、活性効果に適応された拭き取り製品用の「ファンファーレ」のような音、よちよち歩きの幼児や未就学児に適応させたキャラクター（カエルのキャラクターなど）付きのパッケージ用の「ガーガー声」又は「ウサギ」の音、あるいはその他いずれかの好適な適応された聴覚的な要素が挙げられる。
【００５０】
様々な感覚要素をいずれか好適な方法で拭き取り製品に組み込むことができる。例えば、本発明の嗅覚的な要素は、様々ある方法の中のいずれかの方法で拭き取り製品に施すことができる。例えば、拭き取り用品のローションは、今日では一般的であるように、（香料などとして）香りを組み込むことができる。さらに、拭き取り製品の嗅覚的な要素は、ローション以外の形で施される。例えば、拭き取り用品の基材自体の繊維ににおいを付けることができる（合成繊維の場合は香り付きの樹脂から形成し、天然繊維の場合はウェブの形成時ににおいを付けるなど）。拭き取り用品の容器又は包装紙内に収容した包装挿入物（持続放出性の嗅覚的な要素など）、内部封入した芳香機能などからも、においを放出させることができる。例えば、拭き取り用品の容器は、取り出し用の開口部から拭き取り用品を引き出すとにおいを放出するか、拭き取り用品を香らせる、取り出し開口部付近のリング又はその他の構造と嵌合させることができる。
【００５１】
本発明の視覚要素もいずれか好適な方法で施される。視覚的な要素は、パッケージ上（あるいはパッケージの態様として）、拭き取り用品自体、又はその両方に施されるか、ないしは拭き取り用品に関連した別の方法で施される。視覚的な要素には、印刷、彩色、エンボス加工などが含まれ得る。拭き取り用品又はパッケージの仕上げ（高反射又はつや消し仕上げ、あるいは真っ白に対するベージュ色又は低反射色など）は、視覚的な要素の態様であり得る。
【００５２】
上記の開示を考慮すれば当業者には理解されるであろうが、上述した種々の感覚要素を組み合わせたり、様々に変更させたりして利用することができる。理想的には、このような組み合わせは、特定の製品に複数の感覚要素を組み込んだり、感覚要素が互いに引き立て合ったりするように選択する。製品は、共通のラインナップ要素（共通の広告、共通のパッケージ要素、共通の陳列要素など）を備えた一群として提供することができる。
【００５３】
十分に考えられた本発明のラインナップでは、ラインナップ内の様々な商品をある種共通の表示又は指示を通じて明確に調和させることができる。例えば、ラインナップ全体を示す共通の絵記号を設定したり、特定の商品のラインナップ内の配置を示したりすることができる。このような絵記号の設定の例を図３に示す。絵記号２０は発育の依存段階を示し、２番目の絵記号２２は探検段階を、３番目の絵記号２４は学習段階を示す。ラインナップ内の各製品は、図３の各絵記号のうち、該当する絵記号（すなわち製品が適応した段階に対応するもの）を他より大きく、強調して、あるいは該当する絵記号として設定内で識別されるように表示した包装を使用して提供される。このような絵記号のシステムによって、特定の適応された製品が何に対応するように適用されているか（特定の発育段階など）、並びに何に対応していないか（適応可能なその他の段階など）を合わせて知ることができる。このような表示の肯定的及び否定的な態様は、どちらも購入者が製品ニーズにより適した製品を選択するのに役立つ。
【００５４】
本発明のラインナップには、種々の適応された商品を示すバリエーションを備えた共通の配色を採用することができる。このようなバリエーションは、段階に適応されたその他のベビー製品と一貫性があり得る。例えば、本発明の拭き取り製品は、米国特許第６，７６３，９４４号に記載されているような乳幼児の段階に適応されたおむつ製品の一群など、いずれかの方法で一貫した一群として提供することができる。また、本発明のラインナップには、消費者がラインナップ内のニーズに合った製品を選択するのに役立つ補助具、ツール、あるいは選択機構又は装置を備えることもできる。例えば、チャートを含む対話型ディスプレイ、ホイール、広告掲示用柱、コンピュータ端末、パンフレット、ちらしなどは、発育段階の属性を説明し、消費者が乳幼児の属する段階を判断するのを補助し、さらにラインナップ内の対応する製品を薦めることができる。このようなガイドは、特定の製品のパッケージ上、又は陳列棚やその周辺に提示してもよく、あるいは購入場所から離れた場所（ウェブサイト上、テレホンシステム、又は印刷媒体など）で提供され得る。
【００５５】
本発明のラインナップ又は一群の構成は、消費者が様々な商品を素早く見つけ出し、とりわけラインナップ内のその他の製品の態様と比較して製品の様々に適応した態様を簡単に理解できるようにアレンジする。換言すれば、依存段階の乳幼児に最も望まれるであろう要素を備えた拭き取り用品について、消費者がこのような製品の適応を知らなくても、このような適応を異なる適応された感覚要素を備えた探検段階の適応された製品と比較できれば、この拭き取り製品の影響力を弱めることができる。より大規模なラインナップでは、適応の位置関係を示す機能により、個々の製品で適応の影響力や有効性が増加する。
【００５６】
複数の感覚要素による適応の潜在的な利点には、一部の消費者又はユーザーが他の感覚要素に優先して特定の感覚要素を好むことが挙げられる。さらに、感覚要素を組み合わせることで、単一の感覚要素を提供しただけではもたらされないであろう相乗効果を得ることができる。
【００５７】
「発明を実施するための最良の形態」で引用した全ての文献は、関連部分において本明細書に参考として組み込むが、いずれの文献の引用も、それが本発明に関して先行技術であることを容認するものとして解釈すべきではない。
【００５８】
本発明の特定の実施形態を例示および説明してきたが、本発明の精神及び範囲から逸脱することなく、他の様々な変更及び修正を行えることが当業者には明白であろう。したがって、本発明の範囲内にあるそのようなすべての変更及び修正を、添付の特許請求の範囲で扱うものとする。
【００５９】
本発明は、添付図面に関する以下の詳細な説明を考慮することでさらに良く理解されると考えられる。これらの図面において、同一番号は同一要素を示す。
【図面の簡単な説明】
【００６０】
【図１】対象とされた視覚的な要素を含む図版を備えた拭き取り用品のパッケージの一例。
【図２】異なる対象とされた視覚的な要素を含む図版を備えた拭き取り用品のパッケージの一例。
【図３】本発明のラインナップ内の適応された製品が対応する様々な発育段階を示すために使用可能な一連の絵記号の一例。
【図１】
2008531118.tif 000003
【図２】
2008531118.tif 000004
【図３】
2008531118.tif 000005
【国際調査報告】
2008531118.tif 000006
2008531118.tif 000007
2008531118.tif 000008